【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
制御信号によって起動される少なくとも１つのノズルを有する少なくとも１つの計量ヘッドを備えた装置を用いて表面にコーティングを塗布する方法であって、
被覆される表面を有する基材をこの表面に沿って前記計量ヘッドに対して移動させ、および/または被覆される基材の表面に対して前記計量ヘッドを移動させる工程、および
コンピュータにより生成される少なくとも１つの制御信号に応じてノズルを介して前記表面に流動体コーティング材料を塗布する工程、
を有することを特徴とする方法。
【請求項２】
表面に流動体コーティング材料を塗布する工程が、バブルジェット（登録商標）・ノズルおよび／またはインクジェット・ノズルまたは圧電素子ジェット・ノズルを介して、流動体コーティング材料を塗布する工程を有する請求項１記載の方法。
【請求項３】
流動体コーティング材料を塗布する工程が、弁、特に、圧電素子弁または電磁制御弁を開放する工程を有する請求項１または２記載の方法。
【請求項４】
流動体コーティング材料を塗布する工程が、熱可塑性樹脂を含む流動体コーティング材料を塗布する工程を有する請求項１〜３のいずれかに記載の方法。
【請求項５】
熱可塑性樹脂が、ポリエチレン、ポリプロピレン、ポリアクリレート、ポリメタクリレート、ポリアクリロニトリル、ポリブタジエン、ポリアミド、ポリエステル、ポリエーテル、ポリエーテルケトン、ポリビニルアセテート、ポリアセタール、ポリビニルアセテート、ポリオレフィン、ポリカーボネート、ポリエーテルブロックアミド、ＰＳＵ、ＰＥＳ、ＰＰＳ、ＰＶＣ、ＰＶＤＣ、ＰＥＴ、ＰＳ、ＰＴＦＥ、ＰＶＤＦ、ＰＦ、ポリイミド、ポリイミド誘導体、セルロース誘導体、および付加共重合体から成る群から選択されるプラスチックを含む請求項４記載の方法。
【請求項６】
流動体コーティング材料を塗布する工程が、溶解されたプラスチックを含むコーティング材料を塗布する工程を有する請求項１〜５のいずれかに記載の方法。
【請求項７】
流動体コーティング材料を塗布する工程が、化学反応系の少なくとも１つの成分を含むコーティング材料を塗布する工程を有する請求項１〜６のいずれかに記載の方法。
【請求項８】
化学反応系が、イソシアネート架橋系および／またはポリウレタンおよび／またはエポキシ系および／またはシリコーンおよび／またはこれら系のうち１つの誘導体を含む請求項７記載の方法。
【請求項９】
流動体コーティング材料を塗布する工程が、熱架橋系の少なくとも１つの成分を含むコーティング材料を塗布する工程を有する請求項１〜８のいずれかに記載の方法。
【請求項１０】
熱架橋系が、ポリエステル・メラミンおよび／または尿素樹脂および／またはエポキシ系および／またはポリエステル系を含む請求項９記載の方法。
【請求項１１】
流動体コーティング材料を塗布する工程が、放射線硬化系の少なくとも１つの成分を含むコーティング材料を塗布する工程を有する請求項１〜１０のいずれかに記載の方法。
【請求項１２】
放射線硬化系が、アクリレートおよび／またはメタクリレートおよび／またはポリビニルエーテルおよび／またはポリエステルおよび／またはマレイン酸化合物および／またはフマル酸化合物および／またはエポキシおよび／またはスチレン化合物および／またはシリコーンアクリレートを含む請求項１１記載の方法。
【請求項１３】
表面上で流動体コーティング材料を固化させる工程を有する請求項１〜１２のいずれかに記載の方法。
【請求項１４】
表面上で流動体コーティング材料を固化させる工程が、コーティング材料の乾燥工程を有する請求項１３記載の方法。
【請求項１５】
表面上で流動体コーティング材料を固化させる工程が、コーティング材料のＵＶ硬化工程を有する請求項１３または１４記載の方法。
【請求項１６】
表面上で流動体コーティング材料を固化させる工程が、コーティング材料を重合する工程を有する請求項１３〜１５のいずれかに記載の方法。
【請求項１７】
表面上で流動体コーティング材料を固化させる工程が、架橋、特に熱架橋工程を有する請求項１３〜１６のいずれかに記載の方法。
【請求項１８】
表面上で流動体コーティング材料を固化させる工程が、コーティング材料を、表面上の先のコーティングおよび／または次のコーティングと反応させる工程を有する請求項１〜１７のいずれかに記載の方法。
【請求項１９】
計量ヘッドが少なくとも１つの第１のノズルおよび少なくとも１つの第２のノズルを有し、コンピュータにより生成される制御信号に応じてノズルを介して表面に流動体コーティングを塗布する工程が、少なくとも１つの第１のノズルを介して第１のコーティング材料を塗布し、かつ、少なくとも１つの第２のノズルを介して第２のコーティング材料を塗布する工程を有する請求項１〜１８のいずれかに記載の方法。
【請求項２０】
被覆される表面を有する基材をこの表面に沿って計量ヘッドに対して移動させ、および/または被覆される基材の表面に対して計量ヘッドを移動させる工程が、第１の方向に基材を前進させる工程を有する請求項１〜１９のいずれかに記載の方法。
【請求項２１】
基材を、計量ヘッドに対して第１の方向に、最高２０００ｍ／分の速度で、好適には最高５００ｍ／分の速度で、好適には１５０ｍ／分以上の速度で、特に好適には３００ｍ／分以上の速度で移動させる請求項２０記載の方法。
【請求項２２】
被覆される表面を有する基材を、この表面に沿って計量ヘッドに対して移動させ、および/または被覆される基材の表面に対して計量ヘッドを移動させる工程が、第１の方向に対して、横方向、好適には実質的に垂直である第２の方向に沿って計量ヘッドを移動させる工程を有する請求項２０または２１記載の方法。
【請求項２３】
流動体コーティング材料を予熱する請求項１〜２２のいずれかに記載の方法。
【請求項２４】
流動体コーティング材料を、最高３００℃、好適には最高１２５℃、特に好適には最高８０℃まで予熱する請求項２３記載の方法。
【請求項２５】
流動体コーティング材料を、８〜１００ｍＰａ・ｓ、好適には８〜５０ｍＰａ・ｓ、特に好適には８〜２５ｍＰａ・ｓの粘度で塗布する請求項１〜２４のいずれかに記載の方法。
【請求項２６】
流動体コーティング材料が、室温において、５０ｍＰａ・ｓ〜１０ｍＰａ・ｓ、好適には５０ｍＰａ・ｓ〜１ｍＰａ・ｓ、特に好適には５０ｍＰａ・ｓ〜２５０ｍＰａ・ｓの範囲にある粘度を有する請求項１〜２５のいずれかに記載の方法。
【請求項２７】
流動体コーティング材料が、過圧下でノズルに送られる請求項１〜２６のいずれかに記載の方法。
【請求項２８】
被覆される基材がリール上に巻き上げられ、かつ、被覆される表面を有する基材をこの表面に沿って計量ヘッドに対して移動させ、および/または被覆される基材の表面に対して計量ヘッドを移動させる工程が、リールから基材を巻き出す工程を含む請求項１〜２７のいずれかに記載の方法。
【請求項２９】
被覆される表面を有する基材をこの表面に沿って計量ヘッドに対して移動させ、および/または被覆される基材の表面に対して計量ヘッドを移動させる工程が、リールに基材を巻き上げる工程を有する請求項１〜２８のいずれかに記載の方法。
【請求項３０】
流動体コーティング材料を塗布する工程が、金属含有シード溶液、特にＳｎ（ＩＶ）含有シード溶液を含むコーティング材料を塗布する工程を有する請求項１〜２９のいずれかに記載の方法。
【請求項３１】
さらに、表面の金属被覆、特にウェット・ケミカル・金属被覆工程を有する請求項３０記載の方法。
【請求項３２】
さらに、表面からコーティングを少なくとも部分的に除去する工程を有する請求項１〜３１のいずれかに記載の方法。
【請求項３３】
計量ヘッドに対して基材を方向付けする工程を有する請求項１〜３２のいずれかに記載の方法。
【請求項３４】
コンピュータにより生成される制御信号に応じてノズルを介して表面に流動体コーティング材料を塗布する工程が、隣接する領域とは異なる屈折率を有する少なくとも１つの領域にコーティング材料を塗布する工程を有する請求項１〜３３のいずれかに記載の方法。
【請求項３５】
少なくとも１つの領域が、光学素子、特に導波管を形成する請求項３４記載の方法。
【請求項３６】
コンピュータにより生成される制御信号に応じてノズルを介して表面に流動体コーティング材料を塗布する工程が、字枠に像を塗布する工程を有する請求項１〜３５のいずれかに記載の方法。
【請求項３７】
被覆される表面を有する基材をこの表面に沿って計量ヘッドに対して移動させ、および/または被覆される基材の表面に対して計量ヘッドを移動させる工程、および
コンピュータにより生成される制御信号に応じてノズルを介して表面に流動体コーティング材料を塗布する工程が２回以上実行される工程を有する請求項１〜３６のいずれかに記載の方法。
【請求項３８】
ホットメルト接着剤または反応性接着剤がフリース材料を含む基材に塗布される請求項１〜３７のいずれかに記載の方法。
【請求項３９】
請求項１〜３８のいずれかに記載の方法を用いてコーティングを塗布する装置であって、コンピュータにより生成される制御信号に応じて制御される少なくとも１つのノズルを有する少なくとも１つの計量ヘッドを有する少なくとも１つの被覆ユニットと、被覆される表面を有する基材をこの表面に沿って計量ヘッドに対して移動させ、および/または被覆される基材の表面に対して計量ヘッドを移動させる装置とを備えたコーティングを塗布する装置。
【請求項４０】
計量ヘッドが、少なくとも１つのノズルが被覆される基材に接触しないように配置されている請求項３９記載の装置。
【請求項４１】
被覆される表面を有する基材をこの表面に沿って計量ヘッドに対して移動させ、および/または被覆される基材の表面に対して計量ヘッドを移動させる装置が、第１の方向に沿って基材を運ぶコンベヤ装置を備えた請求項３９または４０記載の装置。
【請求項４２】
被覆ユニットが、第１の方向に対して実質的に垂直な第２の方向に沿って計量ヘッドを移動させる装置を備えた請求項４１記載の装置。
【請求項４３】
少なくとも１つのノズルが、バブルジェット（登録商標）・ノズルおよび／またはインクジェット・ノズルまたは圧電素子ジェット・ノズルを備えた請求項３９〜４２のいずれかに記載の装置。
【請求項４４】
少なくとも１つのノズルが、弁、特に圧電素子弁または電磁制御弁に接続されたか、あるいは弁によって起動される請求項３９〜４３のいずれかに記載の装置。
【請求項４５】
基材の被覆された表面を固化する装置を備えた請求項３９〜４４のいずれかに記載の装置。
【請求項４６】
基材の被覆された表面を固化する装置が、乾燥装置、特に赤外線および／または熱乾燥装置を備えた請求項４５記載の装置。
【請求項４７】
基材の被覆された表面を固化する装置が、ＵＶ硬化装置を備えた請求項４５または４６記載の装置。
【請求項４８】
計量ヘッドに対して基材を方向付ける装置を備えた請求項３９〜４７のいずれかに記載の装置。
【請求項４９】
基材の位置を測定する装置を備えた請求項３９〜４８のいずれかに記載の装置。
【請求項５０】
流動体コーティング材料を予熱する予熱装置を備えた請求項３９〜４９のいずれかに記載の装置。
【請求項５１】
ノズルの上流側に接続された少なくとも１つのポンプ装置を備えた請求項３９〜５０のいずれかに記載の装置。
【請求項５２】
内燃エンジン用の噴射装置を備えた請求項３９〜５１のいずれかに記載の装置。
【請求項５３】
被覆ユニットが、耐塵ハウジングを備えた被覆装置内に組み入れられており、該被覆装置が前記被覆ユニットを清掃する装置を備えた請求項３９〜５２のいずれかに記載の装置。
【請求項５４】
被覆ユニットが可動的に設けられ、かつ、被覆位置から清掃位置に移動可能である請求項５３記載の装置。
【請求項５５】
被覆装置が清掃操作の間に耐塵的に遮蔽される請求項５４記載の装置。
【請求項５６】
相互に対して平行に配置された少なくとも２つの計量ヘッドを備え、かつ、各々が直列に配置された少なくとも２つのノズルを有する請求項３９〜５５のいずれかに記載の装置。
【請求項５７】
少なくとも２つの計量ヘッドが、被覆される表面の移動方向に沿ってずらして配置されている請求項５６記載の装置。
【請求項５８】
少なくとも２つの計量ヘッドが、被覆される表面の移動方向に沿って、計量ヘッドのノズルの列を重ね合せた状態で、千鳥型に配置されている請求項５６または５７記載の装置。
【請求項５９】
ノズルが計量ヘッド上に配置される軸線が、被覆される表面の移動方向に対して０°〜９０°の角度を形成する請求項５６〜５８のいずれかに記載の装置。
【請求項６０】
請求項１〜３８のいずれかに記載の方法を用いて製造され、および/または請求項３９〜５９のいずれかに記載の装置を用いて被覆された基材。
【請求項６１】
コーティングが複数の個々の層を有する請求項６０記載の被覆された基材。
【請求項６２】
基材が下記材料：
紙またはボール紙あるいは木などのセルロース含有材料、
ガラス、
セラミック、
金属、
プラスチック、
織物、
フリース材料、または
複合材料
のうち少なくとも１つを含む請求項６０または６１記載の被覆された基材。
【請求項６３】
コーティングが材料の異なる領域を有する請求項６０〜６２のいずれかに記載の被覆された基材。
【請求項６４】
コーティングが少なくとも１つの光学部品、特に導波管を含む請求項６０〜６３のいずれかに記載の被覆された基材。
【請求項６５】
回折格子および／またはアレイ導波管回折格子および／またはマッハツェンダ干渉計がコーティング内に形成された請求項６４記載の被覆された基材。